(57)【要約】      （修正有）【課題】走査設備の作業の正確性を高める走査背景切り換え機構を提供する。【解決手段】走査背景切り換え機構は、マシンフレーム、二つの背景板、及び背景板駆動機構を包含する。該マシンフレームには二つのガラス板が設けられ、二つのガラス板それぞれに、走査エリアが設けられ、ガラス板の後方に第１カラーエリアが設けられている。該背景板は該マシンフレームに枢接され、該背景板上に該ガラス板の走査エリアに対応する第２カラーエリアが設けられる。該背景板駆動機構は該背景板を駆動して回転させるのに用いられ、走査背景の第１カラーエリアと第２カラーエリアの切り換えを実現し、走査に適合する背景を提供して、正確に紙の境界を識別して画像オーバラップの現象の発生を防止する。【選択図】図２
0003168960.tif 000002
【実用新案登録請求の範囲】
【請求項１】
走査背景切り換え機構において、
マシンフレームであって、該マシンフレームに二つのガラス板が設けられ、各該ガラス板に走査エリアが設けられ、該ガラス板の後方の該マシンフレームに二つの、それぞれ一つの該ガラス板の該走査エリアに対応する第１カラーエリアが設けられた、上記マシンフレームと、
二つの背景板であって、該マシンフレームに枢接され、各該背景板上に該ガラス板の走査エリアに対応する第２カラーエリアが設けられた、上記二つの背景板と、
該背景板を駆動し回転させる背景板駆動機構と、
を包含したことを特徴とする、走査背景切り換え機構。
【請求項２】
請求項１記載の走査背景切り換え機構において、該第１カラーエリアは該マシンフレーム内部環境とされることを特徴とする、走査背景切り換え機構。
【請求項３】
請求項１記載の走査背景切り換え機構において、該背景板は背景基板と該背景基板に固定された第２色板を包含し、該第２色板に該第２カラーエリアが設けられたことを特徴とする、走査背景切り換え機構。
【請求項４】
請求項１記載の走査背景切り換え機構において、各該背景板に動力枢接部材が取り付けられ、該動力枢接部材に動力軸があり、該背景板駆動機構は二つの、それぞれ一つの該動力軸に取り付けられた切り換え部材と、該マシンフレームに取り付けられた動力装置と、該動力装置と二つの該切り換え部材の間に接続された伝動部材と、該伝動部材と該マシンフレームの間に取り付けられた回復バネと、該切り換え部材と該マシンフレームに取り付けられたねじりバネと、を包含することを特徴とする、走査背景切り換え機構。
【請求項５】
請求項４記載の走査背景切り換え機構において、該動力装置はモーターとされ、該モーターは出力歯車を具え、該伝動部材は二つの、それぞれ一つの切り換え部材と組み合わされる押動部と、出力歯車と組み合わされるラック部とを具えたことを特徴とする、走査背景切り換え機構。
【請求項６】
請求項４記載の走査背景切り換え機構において、該伝動部材にフック部が設けられ、該回復バネの一端は該フック部に固定されたことを特徴とする、走査背景切り換え機構。
【考案の詳細な説明】
【技術分野】
【０００１】
本考案は一種の走査装置に係り、特に多機能事務機、スキャナーの走査装置のに応用される走査背景切り換え機構に関する。
【背景技術】
【０００２】
社会の発展に伴い、多機能事務機、スキャナーなどの文書と画像の処理ツールがますます頻繁に現代人のオフィス活動に出現するようになった。そのうち、走査装置はこれらオフィスツールの構成部分の一つであり、その状況の善し悪しが直接に顕著に全体設備の優劣に影響を与える。
【０００３】
図６を参照されたい。図６は周知のオフィスツールの走査過程の表示図であり、走査光線５０が紙６０をとおり、白色背景板７０上で反射されて戻り、これにより走査画面の明るさが増される。しかし、厚さが比較的薄く、色が浅い紙の場合、却って紙の境界が曖昧となり、識別しにくくなるか、背面画像が紙を通して正面画像に干渉する問題が出現し、それにより走査設備の正確性が下がり、ひいてはオフィスツールの後続作業の正常な実行に影響を与える。
【考案の概要】
【考案が解決しようとする課題】
【０００４】
本考案の目的は、走査の正確性を高めることができる走査背景切り換え機構を提供することにある。
【課題を解決するための手段】
【０００５】
上述の目的を達成するため、本考案の走査背景切り換え機構は、マシンフレーム、二つの背景板、及び背景板駆動機構を包含する。該マシンフレームには二つのガラス板が設けられ、二つのガラス板それぞれに、走査エリアが設けられ、これら走査エリアに対応するマシンフレーム構造上に第１カラーエリアが設けられている。該背景板は該マシンフレームに枢接され、該背景板上に該ガラス板の走査エリアに対応する第２カラーエリアが設けられる。該背景板駆動機構は該背景板を駆動して回転させるのに用いられる。
【考案の効果】
【０００６】
以上に述べたように、本考案の走査背景切り換え機構は、背景板駆動機構により背景板を回転させることで、背景を第１カラーエリアと第２カラーエリアの間で切り換え、走査に適合する背景を提供し、走査設備の紙境界に対する正確な識別に有利であり、画像オーバラップ現象の発生を防止でき、走査設備の作業の正確性を高める。且つ本考案の機構は構造が簡単で、コストを節約できる。
【図面の簡単な説明】
【０００７】
【図１】本考案の走査背景切り換え機構の立体図である。
【図２】図１の立体分解図である。
【図３】図２の局部拡大図である。
【図４】本考案の走査背景切り換え機構が提供する一種の背景の側面図である。
【図５】本考案の走査背景切り換え機構が提供する別の一種の背景の側面図である。
【図６】周知の走査設備の走査過程の表示図である。
【考案を実施するための形態】
【０００８】
本考案の技術内容、構造特徴、達成する目的を詳細に説明するため、以下に実施例を挙げ並びに図面を組み合わせて説明する。
【０００９】
図１から図３を参照されたい。本考案の走査背景切り換え機構は、マシンフレーム（図示せず）、二つの背景板３０及び背景板駆動機構（図示せず）を包含する。
【００１０】
上述のマシンフレームは重畳するように置かれた二つのガラス板１０を有し、該ガラス板１０の上下にそれぞれ走査エリアが設けられている。二つのガラス板１０の間には走査対象が置かれる。
【００１１】
各ガラス板１０の外側の面にはウインドウシール２０が貼られ、各ウインドウシール２０には走査の範囲を制限するため二つの長方形の窓２１が開けられている。走査経路は、該窓２１及びガラス板１０をとおり並びにガラス板１０のある平面に垂直である。ガラス板１０の後のマシンフレーム構造は、光吸収ファイバーとされて、走査背景の第１カラーエリア（図示せず）とされる。
【００１２】
図２及び図３を参照されたい。上述の背景板３０は長方形溝状の基板３１を有し、基板３１の両端の側壁には複数の係止孔３１１が開設されている。基板３１の背面には白色基板３２が貼られている。該白色基板３２は走査背景の第２カラーエリアとされ得る。背景板３０の両端には動力枢接部材３３が取り付けられている。該動力枢接部材３３は保持部３３１と動力軸３３２を具え、該保持部３３１の側壁には複数の係止部３３１１が凸設されている。
【００１３】
組立時には、保持部３３１は基板３１の凹溝内に収容され、これら係止部３３１１は係止孔３１１内に係止され、さらに動力軸３３２により背景板３０が一緒にマシンフレームに枢接される。組立後の背景板３０はマシンフレーム上で回転可能で、並びに窓２１を閉じる或いは開くことができる。
【００１４】
前述の背景板駆動機構は背景板３０の下方に位置し、二つの切り換え部材４１、モーター４２、伝動部材４３、回復バネ４４及びねじりバネ４５を包含する。該モーター４２はマシンフレームに取り付けられ、それは出力歯車４２１を具えている。該伝動部材４３はモーター４２と二つの切り換え部材４１の間に接続され、二つの、それぞれが切り換え部材４１と組み合わされる押動部４３１と、出力歯車４２１と組み合わされるラック部４３２とフック部４３３を有する。該回復バネ４４の一端はマシンフレームに固定され、別端は伝動部材４３のフック部４３３に固定される。該ねじりバネ４５は動力軸３３２に嵌合され、両端は背景板３０とマシンフレームの間に圧縮され、ねじりバネ４５の作用のした、二つの背景板３０は二つのガラス板１０に当接し、同時に二つの窓２１を閉じる。
【００１５】
図４を参照されたい。モーター４２を起動すると、出力歯車４２１は伝動部材４３を駆動し、上向きに移動させ、これにより、二つの押動部４３１を駆動し、動力軸３３２に固定された二つの切り換え部材４１に接触し、背景板３０を回転させ、白色基板３２は走査経路に平行である。このとき、四つの窓２１は全て開き、マシンフレーム内部の第１カラーエリアは走査背景を提供する。
【００１６】
該第１カラーエリアは暗い黒色環境であり、薄い色の紙を処理する時は、比較的明るい境界コントラストを発生でき、機器に識別されやすい。並びに背景板の反射光線がないため、すなわち、紙の背面画像が正面画像に干渉する問題も有効に防止できる。
【００１７】
図５を参照されたい。モーター４２が作業を停止すると、回復バネ４４は伝動部材４３をもとの位置に引き戻し、ねじりバネ４５は自然に背景板３０を押下げ、これにより二つのガラス板１０に緊密に当接する。このとき、二つの白色基板３２は走査経路に対向する。すなわち、白色基板３２は第２カラーエリアを走査背景として提供する。
【００１８】
前述したように、本考案の走査背景切り換え機構は、背景板駆動機構により背景板を回転させ、走査背景の第１カラーエリアと第２カラーエリアの間での切り換えを実現し、走査に適合する背景を提供し、走査設備が紙の境界に対して正確な識別をするのに有利であり、画像オーバラップ現象の発生を防止し、走査設備の作業の正確性を高め、且つこの機構の構造は簡単で、コストを節約できる。
【符号の説明】
【００１９】
１０  ガラス板                    ２０  シール
２１  窓                          ３０  背景板
３１  基板                        ３１１  係止孔
３２  白色基板                    ３３  動力枢接部材
３３１  保持部                    ３３１１  係止部
３３２  動力軸                    ４１  切り換え部材
４２  モーター                    ４２１  歯車
４３  伝動部材                    ４３１  押動部
４３２  ラック部                  ４３３  フック部
４４  回復バネ                    ４５  ねじりバネ
【図１】
0003168960.tif 000003
【図２】
0003168960.tif 000004
【図３】
0003168960.tif 000005
【図４】
0003168960.tif 000006
【図５】
0003168960.tif 000007
【図６】
0003168960.tif 000008